(57)【特許請求の範囲】
【請求項１】
第１のサンギヤと、該第１のサンギヤに噛み合う第１のピニオンを支持する第１のキャリヤと、該第１のピニオンに噛み合う第１のリングギヤとからなる第１の遊星歯車と、
第２のサンギヤと、該第２のサンギヤに噛み合う第２のピニオンを支持する第２のキャリヤと、該第２のピニオンに噛み合う第２のリングギヤとからなる第２の遊星歯車と、
第３のサンギヤと、該第３のサンギヤに噛み合う第３のピニオンを支持する第３のキャリヤと、該第３のピニオンに噛み合う第３のリングギヤとからなる第３の遊星歯車と、
５つの摩擦要素と、
を備え、
前記５つの摩擦要素を適宜締結解放することにより少なくとも前進７速の変速段に変速して入力軸からのトルクを出力軸に出力可能な自動変速機において、
前記第３のサンギヤは常時係止されており、
前記第１のサンギヤと前記第２のリングギヤとは連結して第１の回転メンバを構成しており、
前記第１のキャリヤと前記第３のリングギヤとは連結して第２の回転メンバを構成しており、
前記入力軸は前記第１のリングギヤに常時連結しており、
前記出力軸は前記第２のサンギヤに常時連結しており、
前記５つの摩擦要素は、
前記第２のサンギヤと前記第３のキャリヤとの間を選択的に連結する第１の摩擦要素と、
前記第２のキャリヤの回転を係止可能な第２の摩擦要素と、
前記第１の回転メンバと前記第３のキャリヤとの間を選択的に連結する第３の摩擦要素と、
前記第１のリングギヤと前記第２のキャリヤとの間を選択的に連結する第４の摩擦要素と、
前記第２の回転メンバと前記第２のキャリヤとの間を選択的に連結する第５の摩擦要素と、
から構成され、
前記５つの摩擦要素のうち二つの同時締結の組み合わせにより少なくとも前進７速及び後退１速を達成することを特徴とする自動変速機。
【請求項２】
第１のサンギヤと、該第１のサンギヤに噛み合う第１のピニオンを支持する第１のキャリヤと、該第１のピニオンに噛み合う第１のリングギヤとからなる第１の遊星歯車と、
第２のサンギヤと、該第２のサンギヤに噛み合う第２のピニオンを支持する第２のキャリヤと、該第２のピニオンに噛み合う第２のリングギヤとからなる第２の遊星歯車と、
第３のサンギヤと、該第３のサンギヤに噛み合う第３のピニオンを支持する第３のキャリヤと、該第３のピニオンに噛み合う第３のリングギヤとからなる第３の遊星歯車と、
５つの摩擦要素と、
を備え、
前記５つの摩擦要素を適宜締結解放することにより少なくとも前進７速の変速段に変速して入力軸からのトルクを出力軸に出力可能な自動変速機において、
前記第１のサンギヤは常時係止されており、
前記第１のリングギヤと前記第３のキャリヤとは連結して第１の回転メンバを構成しており、
前記第２のキャリヤと前記第３のリングギヤとは連結して第２の回転メンバを構成しており、
前記入力軸は前記第２のサンギヤに常時連結しており、
前記出力軸は前記第２の回転メンバに常時連結しており、
前記５つの摩擦要素は、
前記第１のキャリヤと前記第２のリングギヤとの間を選択的に連結する第１の摩擦要素と、
前記第１のキャリヤの回転を係止可能な第２の摩擦要素と、
前記第１のキャリヤと前記第３のサンギヤとの間を選択的に連結する第３の摩擦要素と、
前記第２のサンギヤと前記第３のサンギヤとの間を選択的に連結する第４の摩擦要素と、
前記第２のサンギヤと前記第１の回転メンバとの間を選択的に連結する第５の摩擦要素と、
から構成され、
前記５つの摩擦要素のうち二つの同時締結の組み合わせにより少なくとも前進７速及び後退１速を達成することを特徴とする自動変速機。
【請求項３】
請求項１または２に記載の自動変速機において、
前記前進７速を達成する前記第１〜第５の摩擦要素のうちの２つの同時締結の組み合わせは、前記第１の摩擦要素と前記第２の摩擦要素の同時締結、前記第１の摩擦要素と前記第３の摩擦要素の同時締結、前記第１の摩擦要素と前記第４の摩擦要素の同時締結、前記第１の摩擦要素と前記第５の摩擦要素の同時締結、前記第４の摩擦要素と前記第５の摩擦要素の同時締結、前記第３の摩擦要素と前記第５の摩擦要素の同時締結、前記第３の摩擦要素と前記第４の摩擦要素の同時締結の７つの組み合わせであることを特徴とする自動変速機。
【請求項４】
請求項１に記載の自動変速機において、
前記前進７速を達成する前記第１〜第５の摩擦要素のうちの２つの同時締結の組み合わせは、前記第１の摩擦要素と前記第２の摩擦要素の同時締結、前記第１の摩擦要素と前記第３の摩擦要素の同時締結、前記第１の摩擦要素と前記第４の摩擦要素の同時締結、前記第１の摩擦要素と前記第５の摩擦要素の同時締結、前記第４の摩擦要素と前記第５の摩擦要素の同時締結、前記第３の摩擦要素と前記第５の摩擦要素の同時締結、前記第３の摩擦要素と前記第４の摩擦要素の同時締結、前記第２の摩擦要素と前記第５の摩擦要素の同時締結のうちの７つの組み合わせであることを特徴とする自動変速機。
【請求項５】
請求項３または４に記載の自動変速機において、
前記後退１速を達成する前記第１〜第５の摩擦要素のうちの２つの同時締結は、前記第２の摩擦要素と前記第３の摩擦要素の同時締結、又は前記第２の摩擦要素と前記第４の摩擦要素の同時締結であることを特徴とする自動変速機。
【発明の詳細な説明】
【技術分野】
【０００１】
本発明は、車両の変速機として適用される有段式の自動変速機に関する。
【背景技術】
【０００２】
従来、遊星歯車３組を使用して前進７速を達成する自動変速機として、例えば特許文献１や特許文献２に記載の技術が知られている。特許文献１には、伝達効率やギヤノイズで有利で、ピニオンギヤが小径とならず耐久性に有利なシングルピニオン型遊星歯車を３組、摩擦要素６個を使用して前進７速を達成する自動変速機が開示されている。また、同様に、特許文献２には、シングルピニオン型遊星歯車を３組、摩擦要素５個を使用して前進６速〜８速を達成する自動変速機が開示されている。
【特許文献１】特開２００４−１７６７６５号公報
【特許文献２】USP 6648791，Fig.23，24，25，26
【発明の開示】
【発明が解決しようとする課題】
【０００３】
特許文献１については、前進７速を達成するのに最低６個の摩擦要素を必要とするため、摩擦要素の数が多く、部品点数や軸方向寸法の増大を招くという問題がある。
【０００４】
特許文献２については、前進７速を達成するのに摩擦要素が５個であり、特許文献１に比べて摩擦要素の数が少なく部品点数を少なく出来るという効果はある。
しかしながら、この特許文献２のFig.23，24に記載された自動変速機は、遊星歯車の外径側を通る連結部材が多く、燃費の悪化につながるという問題がある。例えば、Fig23については、中央の遊星歯車のリングギヤの外径側を通る部材は３層構造となっている。このため、一般的に自動変速機は、軸中心側より遠心力を利用して潤滑油が放出されて、潤滑必要部を経由して自動変速機の下部に設けられたオイルパンに回収されることになるが、遊星歯車の外径側に例えばドラム部材といった連結部材が多層構造になっていると、潤滑油が上記部材の内部に滞留しやすくなり、これらは走行中に回転する部材であることが多いから、フリクションが増大して燃費が悪化するという問題がある。
【０００５】
一方、この特許文献２のFig.25に記載された発明は、遊星歯車の外径側を通る部材は２層であり、Fig.23に比べて滞留しにくい構造にはなっているものの、入力軸側の遊星歯車のサンギヤの内径側が多軸構造、具体的には最大３軸構造となっている。このため、サンギヤの寸法が規制されてしまい、入力軸側の遊星歯車の歯数比の自由度が小さいという問題がある。尚、遊星歯車の歯数比を確保しようとすると、遊星歯車の寸法が大型化し、自動変速機の外形寸法が大型化するという問題がある。
【０００６】
本発明の目的とするところは、単純遊星歯車を３組、摩擦要素を５個として前進７速を達成することができる自動変速機であって、第１の目的は遊星歯車の外径側を通る部材を極力少なくすることが可能な自動変速機を提供することであり、第２の目的は遊星歯車の内径側を通る軸数も極力少なくすることが可能な自動変速機を提供することである。
【課題を解決するための手段】
【０００７】
上記目的を達成するため、第１の発明では、第１のサンギヤと、該第１のサンギヤに噛み合う第１のピニオンを支持する第１のキャリヤと、該第１のピニオンに噛み合う第１のリングギヤとからなる第１の遊星歯車と、第２のサンギヤと、該第２のサンギヤに噛み合う第２のピニオンを支持する第２のキャリヤと、該第２のピニオンに噛み合う第２のリングギヤとからなる第２の遊星歯車と、第３のサンギヤと、該第３のサンギヤに噛み合う第３のピニオンを支持する第３のキャリヤと、該第３のピニオンに噛み合う第３のリングギヤとからなる第３の遊星歯車と、５つの摩擦要素と、を備え、前記５つの摩擦要素を適宜締結解放することにより少なくとも前進７速の変速段に変速して入力軸からのトルクを出力軸に出力可能な自動変速機において、前記第３のサンギヤは常時係止されており、前記第１のサンギヤと前記第２のリングギヤとは連結して第１の回転メンバを構成しており、前記第１のキャリヤと前記第３のリングギヤとは連結して第２の回転メンバを構成しており、前記入力軸は前記第１のリングギヤに常時連結しており、前記出力軸は前記第２のサンギヤに常時連結しており、前記５つの摩擦要素は、前記第２のサンギヤと前記第３のキャリヤとの間を選択的に連結する第１の摩擦要素と、前記第２のキャリヤの回転を係止可能な第２の摩擦要素と、前記第１の回転メンバと前記第３のキャリヤとの間を選択的に連結する第３の摩擦要素と、前記第１のリングギヤと前記第２のキャリヤとの間を選択的に連結する第４の摩擦要素と、前記第２の回転メンバと前記第２のキャリヤとの間を選択的に連結する第５の摩擦要素と、から構成され、前記５つの摩擦要素のうち二つの同時締結の組み合わせにより少なくとも前進７速及び後退１速を達成することを特徴とする。
【０００８】
上記目的を達成するため、第２の発明では、第１のサンギヤと、該第１のサンギヤに噛み合う第１のピニオンを支持する第１のキャリヤと、該第１のピニオンに噛み合う第１のリングギヤとからなる第１の遊星歯車と、第２のサンギヤと、該第２のサンギヤに噛み合う第２のピニオンを支持する第２のキャリヤと、該第２のピニオンに噛み合う第２のリングギヤとからなる第２の遊星歯車と、第３のサンギヤと、該第３のサンギヤに噛み合う第３のピニオンを支持する第３のキャリヤと、該第３のピニオンに噛み合う第３のリングギヤとからなる第３の遊星歯車と、５つの摩擦要素と、を備え、前記５つの摩擦要素を適宜締結解放することにより少なくとも前進７速の変速段に変速して入力軸からのトルクを出力軸に出力可能な自動変速機において、前記第１のサンギヤは常時係止されており、前記第１のリングギヤと前記第３のキャリヤとは連結して第１の回転メンバを構成しており、前記第２のキャリヤと前記第３のリングギヤとは連結して第２の回転メンバを構成しており、前記入力軸は前記第２のサンギヤに常時連結しており、前記出力軸は前記第２の回転メンバに常時連結しており、前記５つの摩擦要素は、前記第１のキャリヤと前記第２のリングギヤとの間を選択的に連結する第１の摩擦要素と、前記第１のキャリヤの回転を係止可能な第２の摩擦要素と、前記第１のキャリヤと前記第３のサンギヤとの間を選択的に連結する第３の摩擦要素と、前記第２のサンギヤと前記第３のサンギヤとの間を選択的に連結する第４の摩擦要素と、前記第２のサンギヤと前記１の回転メンバとの間を選択的に連結する第５の摩擦要素と、から構成され、前記５つの摩擦要素のうち二つの同時締結の組み合わせにより少なくとも前進７速及び後退１速を達成することを特徴とする。
【発明の効果】
【０００９】
よって、第１及び第２の発明の自動変速機にあっては、下記に列挙する効果を得ることができる。
(1)３組の単純遊星歯車と５つの摩擦要素で前進７速後退１速を達成できるため、伝達効率やギヤノイズを改善できるとともに、ギヤの耐久性が向上する。
(2)３組の遊星歯車の外径側に連結部材が３層とせずに、３組の単純遊星歯車と５つの摩擦要素で前進７速後退１速を達成できる。これにより、潤滑油が滞留しにくくなり、油温上昇による耐久性の悪化を防止しつつ、フリクションを低減することで燃費が向上する。
(3)３組の遊星歯車の内径側を通る部材が最大２軸構造にしつつ、３組の単純遊星歯車と５つの摩擦要素で前進７速後退１速を達成できるため、寸法が規制されることがなく、遊星歯車の歯数比の自由度が大きい。よって、特許文献２に比べてサンギヤの小径化設計自由度を向上できる。
【発明を実施するための最良の形態】
【００１０】
以下、本発明の有段自動変速機の変速機構を実現する最良の形態を、図面に示す実施例に基づいて説明する。
【実施例１】
【００１１】
まず、構成を説明する。
図１は実施例１の有段式の自動変速機の変速機構を示すスケルトン図、図２は実施例１の自動変速機における摩擦要素の結合表と減速比の具体例を示す図である。
【００１２】
実施例１の自動変速機は、図１に示すように、ギヤトレーンとして、シングルピニオン型の３組の遊星歯車組である第１遊星歯車組PG1，第２遊星歯車組PG2及び第３遊星歯車組PG3を備えている。第１遊星歯車組PG1は、第１サンギヤS1と、第１リングギヤR1と、第１サンギヤS1と第１リングギヤR1とに噛み合う第１ピニオンP1と、を有する。第２遊星歯車組PG2は、第２サンギヤS2と、第２リングギヤR2と、第２サンギヤS2と第２リングギヤR2とに噛み合う第２ピニオンP2と、を有する。第３遊星歯車組PG3は、第３サンギヤS3と、第３リングギヤR3と、第３サンギヤS3と第３リングギヤR3とに噛み合う第３ピニオンP3と、を有する。第１，第２及び第３ピニオンP1，P2，P3は、それぞれ第１，第２及び第３キャリヤPC1，PC2，PC3に対して回転可能に支持されている。
【００１３】
入力軸INは第１リングギヤR1と常時連結されている。出力軸OUTは第２サンギヤS2に常時連結されている。第１サンギヤS1と第２リングギヤR2は常時連結して第１回転メンバM1を構成している。第１キャリヤPC1と第３リングギヤR3は常時連結して第２回転メンバM2を構成している。第３サンギヤS3は変速機ケース１に対して常時係止されている。
【００１４】
自動変速機には、１つのブレーキである第２摩擦要素Bと、４つのクラッチである第１，第３，第４，第５摩擦要素A,C,D,Eが設けられている。第１摩擦要素Aは、第２サンギヤS2と第３キャリヤPC3との間に設けられ、第２サンギヤS2と第３キャリヤPC3とを選択的に連結する。第２摩擦要素Bは、第２キャリヤPC2と変速機ケース１との間に設けられ、第２キャリヤPC2の回転を選択的に係止する。第３摩擦要素Cは、第１回転メンバM1と一体の第２リングギヤR2と第３キャリヤPC3との間に設けられ、第２リングギヤR2（第１回転メンバM1）と第３キャリヤPC3とを選択的に連結する。第４摩擦要素Dは、第１リングギヤR1と第２キャリヤPC2との間に設けられ、第１リングギヤR1と第２キャリヤPC2とを選択的に連結する。第５摩擦要素Eは、第２回転メンバM2と一体の第１キャリヤPC1と第２キャリヤPC2との間に設けられ、第１キャリヤPC1（第２回転メンバ）と第２キャリヤPC2とを選択的に連結する。
【００１５】
出力軸OUTには、出力ギヤ等が設けられ、図外のディファレンシャルギヤやドライブシャフトを介して駆動輪へ回転駆動力が伝達される。実施例１の場合、出力軸OUTは他のメンバ等に塞がれているためFF車両に適用可能とされている。
【００１６】
各ギヤ段での前記摩擦要素の結合（締結）の関係を、図２の結合表により説明する（変速制御手段）。尚、表中の○印は締結、空欄は解放を表している。
【００１７】
まず、前進時について説明する。１速は、第１摩擦要素Aと第２摩擦要素Bの締結により達成する。２速は、第１摩擦要素Aと第３摩擦要素Cの締結により達成する。３速は、第１摩擦要素Aと第４摩擦要素Dの締結により達成する。４速は、第１摩擦要素Aと第５摩擦要素Eの締結により達成する。５速は、第４摩擦要素Dと第５摩擦要素Eの締結により達成する。６速は、第３摩擦要素Cと第５摩擦要素Eの締結により達成する。７速は、第３摩擦要素Cと第４摩擦要素Dの締結により達成する。後退速は、第２摩擦要素Bと第３摩擦要素Cの締結により達成する。
【００１８】
次に、図２により実施例１での減速比の具体例を説明する。ここで、第１遊星歯車組PG1の歯数比ρ1＝ZS1／ZR1＝0.65、第２遊星歯車組PG2の歯数比ρ2＝ZS2／ZR2＝0.65、第３遊星歯車組PG3の歯数比ρ3＝ZS3／ZR3＝0.65とする事例により説明する。尚、ZS1,ZS2,ZS3,ZR1,ZR2,ZR3は各ギヤの歯数を表す。
【００１９】
前進１速の減速比ｉ1は、
ｉ1＝ρ1ρ2＋（１＋ρ1）（１＋ρ3）
の式にてあらわされ、具体的な数値を代入すると、
前進１速の減速比ｉ1は、ｉ1＝3.145，減速比の逆数は0.318となる。
【００２０】
前進２速の減速比ｉ2は、
ｉ2＝(１＋ρ1)(１＋ρ3）−ρ1
の式にてあらわされ、具体的な数値を代入すると、
前進２速の減速比ｉ2は、ｉ2＝2.073，減速比の逆数は0.482となる。
【００２１】
前進３速の減速比ｉ3は、
ｉ3＝（（１＋ρ1）(１＋ρ3）＋ρ1ρ2）／（１＋ρ1（１＋ρ2））
の式にてあらわされ、具体的な数値を代入すると、
前進３速の減速比ｉ3は、ｉ3＝1.517，減速比の逆数は0.659となる。
【００２２】
前進４速の減速比ｉ4は、
ｉ4＝１＋ρ3−ρ1ρ2ρ3
の式にてあらわされ、具体的な数値を代入すると、
前進４速の減速比ｉ4は、ｉ4＝1.375，減速比の逆数は0.727となる。
【００２３】
前進５速の減速比ｉ5は、
ｉ5＝1.0
の式にてあらわされ、具体的な数値を代入するまでもなく、
前進５速の減速比ｉ5は、ｉ5＝1.000，減速比の逆数は1.000となる。
【００２４】
前進６速の減速比ｉ6は、
ｉ6＝ρ2（１＋ρ3＋ρ1ρ3）／（ρ2＋ρ3＋ρ2ρ3）
の式にてあらわされ、具体的な数値を代入すると、
前進６速の減速比ｉ6は、ｉ6＝0.782，減速比の逆数は1.279となる。
【００２５】
前進７速の減速比ｉ7は、
ｉ7＝ρ2（１＋ρ3＋ρ1ρ3）／（（１＋ρ2）（１＋ρ3＋ρ1ρ3）−１）
の式にてあらわされ、具体的な数値を代入すると、
前進７速の減速比ｉ7は、ｉ7＝0.557，減速比の逆数は1.789となる。
【００２６】
後退速の減速比ｉRは、
ｉR＝−((１＋ρ1)(１＋ρ3）−ρ1)ρ2
の式にてあらわされ、具体的な数値を代入すると、
後退速の減速比ｉRは、ｉR＝-1.347，減速比の逆数は-0.742となる。
【００２７】
〔実施例１の効果〕
・スケルトン全体による効果
実施例１では、単純遊星３組と５つの摩擦要素という単純で少ない構成要素でありながら、適正な減速比を確保可能な前進７速後退１速の自動変速機を実現することができる。
【００２８】
・単純遊星３組を使用することによる効果
単純遊星３組で構成することにより、ダブルピニオンを使う場合に比べて、伝達効率やギヤノイズ改善されると共に、ピニオンを小径とする必要がないため、ギヤの耐久性が向上する。
【００２９】
・前進のレーシオカバレッジに基づく効果
前進のレーシオカバレッジ（ギヤ比幅）とは、最低段の減速比／最高段の減速比をいい、この値は、大きい値であるほど、発進加速性と高速巡航での燃費との両立性に優れ、かつ各前進段でのギヤ比設定自由度が高くなるということができる。実施例１での具体的な数値は、前進１速の減速比が3.145で、前進７速の減速比が0.557であるため、１−７速レーシオカバレッジは5.65となり、十分なレーシオカバレッジを確保できる。よって、例えば、動力源としてエンジン回転数幅がガソリンエンジンよりも狭く、同排気量で比較した場合にトルクが大きいディーゼルエンジンを動力源として搭載した車両の変速機としても有用である。
【００３０】
また、レーシオカバレッジの割に、低速側のギヤ比が大きいと、ファイナルギヤへ伝達するトルクが大きくなる。このため、自動変速機やプロペラシャフトの強度が必要となり、車両全体が大型化する。つまり、同一のレーシオカバレッジであるならば、最低速変速比はそれほど大きくない方が好ましい。先行技術のUSP 6648791のFig.23の自動変速機は、最高変速段のギヤ比が１であるので、レーシオカバレッジを大きくしようとすると最低変速段のギヤ比を大きくしなければならず、自動変速機やプロペラシャフトが大型化する。一方、実施例１の自動変速機は、最低変速段のギヤ比をそれほど大きくすることなく、十分なレーシオカバレッジを確保することができる。
【００３１】
・変速時における摩擦要素の切換え数に基づく効果
(i)変速時において、仮に、一つ以上の摩擦要素を解放し二つ以上の摩擦要素を締結する、もしくは、二つ以上の摩擦要素を解放し一つ以上の摩擦要素を締結すると、摩擦要素の締結・解放のタイミングやトルクの制御が複雑となる。そこで、変速制御の複雑化を回避する観点から、一つの摩擦要素を解放し、他の一つの摩擦要素を締結するのが好ましいとされる。いわゆる二重掛け替えの防止である。実施例１においては、前進１速から前進４速までは第１摩擦要素Aが締結したままの状態で変速し、前進４速から前進６速までは第５摩擦要素Eが締結したままの状態で変速し、前進６速から前進７速までは第３摩擦要素Cが締結したままの状態で変速する。すなわち、前進１速から前進７速までの隣接するギヤ段への変速は、全て一つの摩擦要素を解放し、他の一つの摩擦要素を締結する掛け替え変速により達成できる。よって、変速時における制御の複雑化を回避できる。
【００３２】
(ii)上記(i)に示すように、隣接するギヤ段への変速は、全て一つの摩擦要素を解放し、一つの摩擦要素を締結する架け替え変速により達成でき、更に、例えば前進１速から前進３速のような１段飛び変速であっても、同様に全て一つの摩擦要素を解放し、一つの摩擦要素を締結する架け替え変速により達成できる。よって、制御性を向上させることができる。
【００３３】
・レイアウトに基づく効果
(i)実施例１の自動変速機は、図１のスケルトン図に示すように、３組の遊星歯車の外径側に連結部材が３層とならない。これにより、潤滑油が滞留しにくくなり、フリクションを低減することで燃費を向上することができる。
【００３４】
(ii)また、図１のスケルトン図に示すように、遊星歯車組の外周側を通る回転メンバは、一層構造である。自動変速機は冷却や潤滑を目的として、各回転要素であるギヤやベアリング等に潤滑油を常に供給している。また、この潤滑は一般に軸心側から遠心力により供給される。このとき、外周側において潤滑油の排出性が悪化すると、潤滑油の油温が上昇し、摩擦要素や図示しない軸受け部材などの耐久性が低下する。実施例１では、上述したように、遊星歯車組の外周側を通る回転メンバは一層構造であるため、潤滑油の排出性が悪化することがなく、油温上昇が抑制されて、耐久性が向上する。
【００３５】
(iii)３組の遊星歯車の内径側を通る部材が最大２軸構造にしつつ、３組の単純遊星歯車と５つの摩擦要素で前進７速後退１速を達成できる。よって、特許文献２に比べてサンギヤの寸法が規制されることがなく、遊星歯車の歯数比の自由度が大きいため設計自由度を向上できる。
【００３６】
・摩擦要素数の観点に基づく効果
実施例１での摩擦要素数は、第２摩擦要素Bがブレーキとされている。すなわち、ブレーキを備えたことで、クラッチ数が多い場合に比べ、回転用シールリング数や遠心キャンセル機構の増加を抑制することが可能となり、燃費を向上しつつ、部品点数や軸方向寸法が減少する。
【００３７】
（変形例１−１）
次に、実施例１の変形例１−１について説明する。基本的な構成は実施例１と同じであるため、異なる点についてのみ説明する。
【００３８】
図３は変形例１−１を表すスケルトン図である。変形例１−１では、第２摩擦要素Bと並列にワンウェイクラッチを配置したものである。前進１速から前進２速への変速時において、トルク段差の大きい１速から２速への制御の単純化や、通常走行時での過剰なエンジンブレーキ感をなくすために、１速用のワンウェイクラッチOWCを設けることが好ましい。
【００３９】
このような目的のためには、１速用のワンウェイクラッチOWCは、前進１速から前進２速へアップシフトする際に解放する摩擦要素と並列に設けることとなる。実施例１の場合、この摩擦要素は第２摩擦要素Bに相当する。第２摩擦要素Bは第２キャリヤPC2を選択的に変速機ケース１に係止するブレーキであり、１速から２速への変速時には、第２キャリヤPC2は正回転（エンジン回転方向を正回転とする）するため、第２摩擦要素Bにワンウェイクラッチを配置するためには、この第２キャリヤPC2の回転方向が第２摩擦要素Bを解放状態とする全ての変速段において正回転である必要がある。
【００４０】
仮に、いずれかの変速段において負回転となる場合には、ワンウェイクラッチOWCと直列にこのワンウェイクラッチOWCの作動非作動を切換可能な摩擦要素をもう一つ追加しなければならず、部品点数等の増大を招くことになり、あまり有用とはいえない。そこで、実施例１において全ての変速段における第２キャリヤPC2の回転数を検討してみると、第２キャリヤPC2は、全ての変速段において正回転となっている。よって、単に第２摩擦要素Bと並列にワンウェイクラッチOWCを構成するのみで、大幅な部品の増加を回避しつつ、制御ロジックの単純化を可能とし、通常走行時での過剰なエンジンブレーキ感を抑制することができる。
【００４１】
（変形例１−２）
次に、実施例１の変形例１−２について説明する。基本的な構成は実施例１と同じであるため、異なる点についてのみ説明する。実施例１では、前進７速として第３摩擦要素Cと第４摩擦要素Dの同時締結により達成していた。これに対し、変形例１−２では、前進７速として第２摩擦要素Bと第５摩擦要素Eの同時締結により達成するものである。以下の関係式に基づく減速比を選択する。
【００４２】
前進７速の減速比ｉ7は、
ｉ7＝ρ1ρ2
の式にてあらわされ、具体的な数値を代入すると、
前進７速の減速比ｉ7は、ｉ7＝0.423，減速比の逆数は2.364となる。
【００４３】
この変形例１−２によれば、実施例１よりも小さな減速比である前進７速を設定することが可能となり、レーシオカバレッジも7.44と大きな値をとることができる。尚、前進６速と前進７速との段間差が若干大きいため、この７速は、例えば高速道路のように高速巡航時の燃費向上専用変速段のような位置づけで使用することもできる。
【００４４】
（変形例１−３）
次に、実施例１の変形例１−３について説明する。基本的な構成は実施例１と同じであるため、異なる点についてのみ説明する。実施例１では、前進７速まで設定していたが、変形例１−３では、前進８速まで設定している点が異なる。この８速は、実施例１の７速に加え、変形例１−２において設定した７速を、新たな８速として設定したものである。尚、７速と８速との掛け替え変速では、２重掛け替えを実施する必要があるものの、基本的に作用しているトルクが小さい状態での変速であるため、変速ショックは問題とならない。すなわち、３遊星５摩擦要素という少ない部品点数で前進８速後退１速の自動変速機を提供することができる。
【実施例２】
【００４５】
まず、構成を説明する。
図６は実施例２の有段式の自動変速機の変速機構を示すスケルトン図、図７は実施例２の自動変速機における摩擦要素の結合表と減速比の具体例を示す図である。
【００４６】
実施例２の自動変速機は、図６に示すように、ギヤトレーンとして、シングルピニオン型の３組の遊星歯車組である第１遊星歯車組PG1，第２遊星歯車組PG2及び第３遊星歯車組PG3を備えている。第１遊星歯車組PG1は、第１サンギヤS1と、第１リングギヤR1と、第１サンギヤS1と第１リングギヤR1とに噛み合う第１ピニオンP1と、を有する。第２遊星歯車組PG2は、第２サンギヤS2と、第２リングギヤR2と、第２サンギヤS2と第２リングギヤR2とに噛み合う第２ピニオンP2と、を有する。第３遊星歯車組PG3は、第３サンギヤS3と、第３リングギヤR3と、第３サンギヤS3と第３リングギヤR3とに噛み合う第３ピニオンP3と、を有する。第１，第２及び第３ピニオンP1，P2，P3は、それぞれ第１，第２及び第３キャリヤPC1，PC2，PC3に対して回転可能に支持されている。
【００４７】
入力軸INは第２サンギヤS2と常時連結されている。第１リングギヤR1と第３キャリヤPC3は常時連結して第１回転メンバM1を構成している。第２キャリヤPC2と第３リングギヤR3は常時連結して第２回転メンバM2を構成している。出力軸OUTは第２回転メンバM2と一体の第２キャリヤPC2に常時連結されている。第１サンギヤS1は変速機ケース１に対して常時係止されている。
【００４８】
自動変速機には、１つのブレーキである第２摩擦要素Bと、４つのクラッチである第１，第３，第４，第５摩擦要素A,C,D,Eが設けられている。第１摩擦要素Aは、第１キャリヤPC1と第２リングギヤR2との間に設けられ、第１キャリヤPC1と第２リングギヤR2とを選択的に連結する。第２摩擦要素Bは、第１キャリヤPC1と変速機ケース１との間に設けられ、第１キャリヤPC1の回転を選択的に係止する。第３摩擦要素Cは、第１キャリヤPC1と第３サンギヤS3との間に設けられ、第１キャリヤPC1と第３サンギヤS3とを選択的に連結する。第４摩擦要素Dは、第２サンギヤS2と第３サンギヤS3との間に設けられ、第２サンギヤS2と第３サンギヤS3とを選択的に連結する。第５摩擦要素Eは、第２サンギヤS2と第１回転メンバM1と一体の第３キャリヤPC3との間に設けられ、第２サンギヤS2と第１回転メンバM1とを選択的に連結する。
【００４９】
出力軸OUTには、出力ギヤ等が設けられ、図外のディファレンシャルギヤやドライブシャフトを介して駆動輪へ回転駆動力が伝達される。実施例２の場合、出力軸OUTは他のメンバ等に塞がれていないためFF車両とFR車両の両方に適用可能とされている。
【００５０】
各ギヤ段での前記摩擦要素の結合（締結）の関係を、図７の結合表により説明する（変速制御手段）。尚、表中の○印は締結、空欄は解放を表している。
【００５１】
まず、前進時について説明する。１速は、第１摩擦要素Aと第２摩擦要素Bの締結により達成する。２速は、第１摩擦要素Aと第３摩擦要素Cの締結により達成する。３速は、第１摩擦要素Aと第４摩擦要素Dの締結により達成する。４速は、第１摩擦要素Aと第５摩擦要素Eの締結により達成する。５速は、第４摩擦要素Dと第５摩擦要素Eの締結により達成する。６速は、第３摩擦要素Cと第５摩擦要素Eの締結により達成する。７速は、第３摩擦要素Cと第４摩擦要素Dの締結により達成する。後退速は、第２摩擦要素Bと第４摩擦要素Dの締結により達成する。
【００５２】
次に、図７により実施例２での減速比の具体例を説明する。ここで、第１遊星歯車組PG1の歯数比ρ1＝ZS1／ZR1＝0.40、第２遊星歯車組PG2の歯数比ρ2＝ZS2／ZR2＝0.30、第３遊星歯車組PG3の歯数比ρ3＝ZS3／ZR3＝0.30とする事例により説明する。尚、ZS1,ZS2,ZS3,ZR1,ZR2,ZR3は各ギヤの歯数を表す。
【００５３】
前進１速の減速比ｉ1は、
ｉ1＝（１＋ρ2）／ρ2
の式にてあらわされ、具体的な数値を代入すると、
前進１速の減速比ｉ1は、ｉ1＝4.333，減速比の逆数は0.231となる。
【００５４】
前進２速の減速比ｉ2は、
ｉ2＝１＋（ρ1(１＋ρ3)）／（ρ1（１＋ρ1＋ρ1ρ3））
の式にてあらわされ、具体的な数値を代入すると、
前進２速の減速比ｉ2は、ｉ2＝2.140，減速比の逆数は0.467となる。
【００５５】
前進３速の減速比ｉ3は、
ｉ3＝((１＋ρ1)(１＋ρ2)(１＋ρ3)−１)／(ρ3＋ρ2(１＋ρ1)(１＋ρ3))
の式にてあらわされ、具体的な数値を代入すると、
前進３速の減速比ｉ3は、ｉ3＝1.615，減速比の逆数は0.619となる。
【００５６】
前進４速の減速比ｉ4は、
ｉ4＝(１＋ρ1)(１＋ρ2)／((１＋ρ1)ρ2＋１）
の式にてあらわされ、具体的な数値を代入すると、
前進４速の減速比ｉ4は、ｉ4＝1.282，減速比の逆数は0.780となる。
【００５７】
前進５速の減速比ｉ5は、
ｉ5＝1.0
の式にてあらわされ、具体的な数値を代入するまでもなく、
前進５速の減速比ｉ5は、ｉ5＝1.000，減速比の逆数は1.000となる。
【００５８】
前進６速の減速比ｉ6は、
ｉ6＝（１＋ρ1）／((１＋ρ1)(１＋ρ3)−ρ3)
の式にてあらわされ、具体的な数値を代入すると、
前進６速の減速比ｉ6は、ｉ6＝0.921，減速比の逆数は1.086となる。
【００５９】
前進７速の減速比ｉ7は、
ｉ7＝１／((１＋ρ1)(１＋ρ3)−ρ3)
の式にてあらわされ、具体的な数値を代入すると、
前進７速の減速比ｉ7は、ｉ7＝0.658，減速比の逆数は1.520となる。
【００６０】
後退速の減速比ｉRは、
ｉR＝−１／ρ3
の式にてあらわされ、具体的な数値を代入すると、
後退速の減速比ｉRは、ｉR＝-3.333，減速比の逆数は-0.300となる。
【００６１】
〔実施例２の効果〕
・スケルトン全体による効果
実施例２では、単純遊星３組と５つの摩擦要素という単純で少ない構成要素でありながら、適正な減速比を確保可能な前進７速後退１速の自動変速機を実現することができる。
【００６２】
・単純遊星３組を使用することによる効果
単純遊星３組で構成することにより、ダブルピニオンを使う場合に比べて、伝達効率やギヤノイズが改善されると共に、ピニオンを小径とする必要がないため、ギヤの耐久性が向上する。
【００６３】
・前進のレーシオカバレッジに基づく効果
前進のレーシオカバレッジ（ギヤ比幅）とは、最低段の減速比／最高段の減速比をいい、この値は、大きい値であるほど、発進加速性と高速巡航での燃費との両立性に優れ、かつ各前進段でのギヤ比設定自由度が高くなるということができる。実施例２での具体的な数値は、前進１速の減速比が4.333で、前進７速の減速比が0.658であるため、１−７速レーシオカバレッジは6.59となり、十分なレーシオカバレッジを確保できる。よって、例えば、動力源としてエンジン回転数幅がガソリンエンジンよりも狭く、同排気量で比較した場合にトルクが大きいディーゼルエンジンを動力源として搭載した車両の変速機としても有用である。
【００６４】
また、レーシオカバレッジの割に、低速側のギヤ比が大きいと、ファイナルギヤへ伝達するトルクが大きくなる。このため、自動変速機やプロペラシャフトの強度が必要となり、車両全体が大型化する。つまり、同一のレーシオカバレッジであるならば、最低速変速比はそれほど大きくない方が好ましい。先行技術のUSP 6648791のFig.23の自動変速機は、最高変速段のギヤ比が１であるので、レーシオカバレッジを大きくしようとすると最低変速段のギヤ比を大きくしなければならず、自動変速機やプロペラシャフトが大型化する。一方、実施例２の自動変速機は、最低変速段のギヤ比をそれほど大きくすることなく、十分なレーシオカバレッジを確保することができる。
【００６５】
・変速時における摩擦要素の切換え数に基づく効果
(i)変速時において、仮に、一つ以上の摩擦要素を解放し二つ以上の摩擦要素を締結する、もしくは、二つ以上の摩擦要素を解放し一つ以上の摩擦要素を締結すると、摩擦要素の締結・解放のタイミングやトルクの制御が複雑となる。そこで、変速制御の複雑化を回避する観点から、一つの摩擦要素を解放し、他の一つの摩擦要素を締結するのが好ましいとされる。いわゆる二重掛け替えの防止である。実施例２においては、前進１速から前進４速までは第１摩擦要素Aが締結したままの状態で変速し、前進４速から前進６速までは第５摩擦要素Eが締結したままの状態で変速し、前進６速から前進７速までは第３摩擦要素Cが締結したままの状態で変速する。すなわち、前進１速から前進７速までの隣接するギヤ段への変速は、全て一つの摩擦要素を解放し、他の一つの摩擦要素を締結する掛け替え変速により達成できる。よって、変速時における制御の複雑化を回避できる。
【００６６】
(ii)上記(i)に示すように、隣接するギヤ段への変速は、全て一つの摩擦要素を解放し、一つの摩擦要素を締結する架け替え変速により達成でき、更に、例えば前進１速から前進３速のような１段飛び変速であっても、同様に全て一つの摩擦要素を解放し、一つの摩擦要素を締結する架け替え変速により達成できる。よって、制御性を向上させることができる。
【００６７】
・レイアウトに基づく効果
(i)実施例２の自動変速機は、図６のスケルトン図に示すように、３組の遊星歯車の外径側に連結部材が３層とならない。これにより、潤滑油が滞留しにくくなり、フリクションを低減することで燃費を向上することができる。
【００６８】
(ii)また、図６のスケルトン図に示すように、遊星歯車組の外周側を通る回転メンバは、二層構造である。自動変速機は冷却や潤滑を目的として、各回転要素であるギヤやベアリング等に潤滑油を常に供給している。また、この潤滑は一般に軸心側から遠心力により供給される。このとき、外周側において潤滑油の排出性が悪化すると、潤滑油の油温が上昇し、摩擦要素や図示しない軸受け部材などの耐久性が低下する。実施例２では、上述したように、遊星歯車組の外周側を通る回転メンバは二層構造であるため、潤滑油の排出性が悪化することがなく、耐久性が向上する。
【００６９】
(iii)３組の遊星歯車の内径側を通る部材が１軸構造となっている。よって、特許文献２に比べてサンギヤの寸法が規制されることがなく、遊星歯車の歯数比の自由度が大きいため設計自由度を向上できる。
【００７０】
(iv)実施例２の自動変速機は、遊星歯車組の一方側から入力し、他方側から出力することが可能な自動変速機であるため、前輪駆動車及び後輪駆動車のどちらの車両にも適用でき、自動変速機の適用範囲を広くすることができる。
【００７１】
（変形例２−１）
次に、実施例２の変形例２−１について説明する。基本的な構成は実施例２と同じであるため、異なる点についてのみ説明する。
【００７２】
図８は変形例２−１を表すスケルトン図である。変形例２−１では、第２摩擦要素Bと並列にワンウェイクラッチを配置したものである。前進１速から前進２速への変速時において、トルク段差の大きい１速から２速への制御の単純化や、通常走行時での過剰なエンジンブレーキ感をなくすために、１速用のワンウェイクラッチOWCを設けることが好ましい。
【００７３】
このような目的のためには、１速用のワンウェイクラッチOWCは、前進１速から前進２速へアップシフトする際に解放する摩擦要素と並列に設けることとなる。実施例２の場合、この摩擦要素は第２摩擦要素Bに相当する。第２摩擦要素Bは第１キャリヤPC1を選択的に変速機ケース１に係止するブレーキであり、１速から２速への変速時には、第１キャリヤPC1は正回転（エンジン回転方向を正回転とする）するため、第２摩擦要素Bにワンウェイクラッチを配置するためには、この第１キャリヤPC1の回転方向が第２摩擦要素Bを解放状態とする全ての変速段において正回転である必要がある。
【００７４】
仮に、いずれかの変速段において負回転となる場合には、ワンウェイクラッチOWCと直列にこのワンウェイクラッチOWCの作動非作動を切換可能な摩擦要素をもう一つ追加しなければならず、部品点数等の増大を招くことになり、あまり有用とはいえない。そこで、実施例２において全ての変速段における第１キャリヤPC1の回転数を検討してみると、第１キャリヤPC1は、全ての変速段において正回転となっている。よって、単に第２摩擦要素Bと並列にワンウェイクラッチOWCを構成するのみで、大幅な部品の増加を回避しつつ、制御ロジックの単純化を可能とし、通常走行時での過剰なエンジンブレーキ感を抑制することができる。
【００７５】
（変形例２−２）
次に、実施例２の変形例２−２について説明する。基本的な構成は実施例２と同じであるため、異なる点についてのみ説明する。図９は変形例２−２の構成を表すスケルトン図である。実施例２では、ギヤトレーンとして、シングルピニオン型の３組の遊星歯車組である第１遊星歯車組PG1，第２遊星歯車組PG2及び第３遊星歯車組PG3が、出力側から順に第１遊星歯車組PG1→第２遊星歯車組PG2→第３遊星歯車組PG3に配置されていた。これに対し、変形例２−２では、第２遊星歯車組PG2→第１遊星歯車組PG1→第３遊星歯車組PG3の順に配置している点で異なる。尚、変形例２−２では、図９中左から順に、第１遊星歯車組PG1→第２遊星歯車組PG2→第３遊星歯車組PG3と記載しているが、実施例２との対応関係では、
変形例２−２の第１遊星歯車組PG1は、実施例２の第２遊星歯車組PG2に相当し、
変形例２−２の第２遊星歯車組PG2は、実施例２の第１遊星歯車組PG1に相当し、
変形例２−２の第３遊星歯車組PG3は、実施例２の第３遊星歯車組PG3に相当する。
【００７６】
尚、各摩擦要素の位置関係、及び回転メンバの連結関係、各変速段における摩擦要素の締結関係は全て同じである。
【００７７】
実施例２では、右端に配置された第１遊星歯車組PG1の第１サンギヤS1が変速機ケース１に常時係止されているため、第２遊星歯車組PG2の第２キャリヤPC2から出力回転数を取り出す際、第１サンギヤS1の内径側を通すことが可能であった。これに対し、変形例２−２では、常時係止されるサンギヤは第２サンギヤS2であることから、第１遊星歯車組PG1は内径側において、この第２サンギヤS2を係止する部材に囲まれてしまう。よって、変形例２−２では、前輪駆動車に適用可能な構成となる。
【００７８】
ただし、第２サンギヤS2を係止するための固定部材が第２遊星歯車組PG2側まで延在していることから、ブレーキである第２摩擦要素Bはもちろんのこと、この延在された部分からクラッチである第１摩擦要素A及び第３摩擦要素Cにも容易に油を供給することができる。すなわち、第１摩擦要素Aや第３摩擦要素Cに油を供給する際、これら締結要素に関係のない回転メンバ等を経由する必要が無く、直接供給できるからである。これにより、シールリング等の数を低減することができ、摩擦抵抗を小さくすることができる。
【００７９】
以上、実施例２及びその変形例２−２について説明したが、実施例２及びその変形例２−２も第２摩擦要素Bと並列にワンウェイクラッチを設けることができる。これにより、部品点数が大幅に増加することなく、１速用のワンウェイクラッチを配置することが可能となり、制御性を向上させることができる。
【図面の簡単な説明】
【００８０】
【図１】実施例１の自動変速機を示すスケルトン図である。
【図２】実施例１の自動変速機における摩擦要素の結合表と減速比の具体例を示す図である。
【図３】実施例１の変形例１−１の自動変速機を示すスケルトン図である。
【図４】変形例１−２の自動変速機における摩擦要素の結合表と減速比の具体例を示す図である。
【図５】変形例１−３の自動変速機における摩擦要素の結合表と減速比の具体例を示す図である。
【図６】実施例２の自動変速機を示すスケルトン図である。
【図７】実施例２の自動変速機における摩擦要素の結合表と減速比の具体例を示す図である。
【図８】変形例２−１の自動変速機を示すスケルトン図である。
【図９】変形例２−２の自動変速機を示すスケルトン図である。
【符号の説明】
【００８１】
１  変速機ケース
PG1  第１遊星歯車組
S1  第１サンギヤ
R1  第１リングギヤ
P1  第１ピニオン
PC1  第１キャリヤ
PG2  第２遊星歯車組
S2  第２サンギヤ
R2  第２リングギヤ
P2  第２ピニオン
PC2  第２キャリヤ
PG3  第３遊星歯車組
S3  第３サンギヤ
R3  第３リングギヤ
P3  第３ピニオン
PC3  第３キャリヤ
IN  入力軸
OUT  出力軸
A  第１摩擦要素
B  第２摩擦要素
C  第３摩擦要素
D  第４摩擦要素
E  第５摩擦要素
【図１】
0004827823.tif 000002
【図２】
0004827823.tif 000003
【図３】
0004827823.tif 000004
【図４】
0004827823.tif 000005
【図５】
0004827823.tif 000006
【図６】
0004827823.tif 000007
【図７】
0004827823.tif 000008
【図８】
0004827823.tif 000009
【図９】
0004827823.tif 000010